(57)【特許請求の範囲】
【請求項１】
躯体に外装材を取り付ける外装材のバネ鋼からなる取り付け金具であって、
躯体の表面に固定される取り付け金具本体に、前記外装材の内面側に形成された複数の溝部を形成する一方側の側壁面に形成された突条部に嵌合可能な複数の嵌合部が形成されてなり、
該嵌合部は、前記取り付け金具本体から外方側へ屈曲された連結部と、この連結部からそれぞれ一方側へ屈曲されて前記取り付け金具本体に沿って延ばされて先端方向へ向かって次第に前記取り付け金具本体側へ傾斜されると共に、先端部近傍にて前記取り付け金具本体から離間する方向へ屈曲した係止片部とを有し、
前記取り付け金具本体には、前記連結部から係止片部が屈曲する一方側とは反対側に向けて、かつ、先端方向に向かって次第に該取り付け金具本体から外方へ傾斜され、前記嵌合部に前記外装材の突条部を嵌合させた際に、前記外装材の内面側に形成された溝部内に入り込むストッパ片が形成されてなり、
前記取り付け金具本体と前記嵌合部の前記係止片部との間へ前記外装材の突条部を嵌合させることにより、該突条部を前記取り付け金具本体と前記係止片部とによって挟持して保持するとともに、前記外装材の内面側に形成された溝部内に入り込んだ前記ストッパ片によって、前記外装材の、前記突条部の前記嵌合部への嵌合方向と逆方向への移動を規制することを特徴とする外装材の取り付け金具。
【発明の詳細な説明】
【０００１】
【発明の属する技術分野】
この発明は、建築物の外壁等の躯体に外装材を取り付ける取り付け金具に関するものである。
【０００２】
【従来の技術】
従来より、化粧材等の外装材を建築物の外壁等の躯体へ取り付ける場合、この外装材を躯体に釘やビス等によって止め付けていた。
【０００３】
【発明が解決しようとする課題】
しかしながら、このように釘やビス等による止め付けは、煩雑な作業を有するとともに、釘、ビスの頭が露出してしまい見映えが悪化する等の不具合があった。
【０００４】
この発明は、上記事情に鑑みてなされたもので、低コストにて、極めて容易に良好な外観にて外装材を躯体へ取り付けることが可能な外装材の取り付け金具を提供することを目的としている。
【０００５】
【課題を解決するための手段】
上記目的を達成するために、請求項１記載の外装材の取り付け金具は、躯体に外装材を取り付ける外装材のバネ鋼からなる取り付け金具であって、躯体の表面に固定される取り付け金具本体に、前記外装材の内面側に形成された複数の溝部を形成する一方側の側壁面に形成された突条部に嵌合可能な複数の嵌合部が形成されてなり、該嵌合部は、前記取り付け金具本体から外方側へ屈曲された連結部と、この連結部からそれぞれ一方側へ屈曲されて前記取り付け金具本体に沿って延ばされて先端方向へ向かって次第に前記取り付け金具本体側へ傾斜されると共に、先端部近傍にて前記取り付け金具本体から離間する方向へ屈曲した係止片部とを有し、前記取り付け金具本体には、前記連結部から係止片部が屈曲する一方側とは反対側に向けて、かつ、先端方向に向かって次第に該取り付け金具本体から外方へ傾斜され、前記嵌合部に前記外装材の突条部を嵌合させた際に、前記外装材の内面側に形成された溝部内に入り込むストッパ片が形成されてなり、前記取り付け金具本体と前記嵌合部の前記係止片部との間へ前記外装材の突条部を嵌合させることにより、該突条部を前記取り付け金具本体と前記係止片部とによって挟持して保持するとともに、前記外装材の内面側に形成された溝部内に入り込んだ前記ストッパ片によって、前記外装材の、前記突条部の前記嵌合部への嵌合方向と逆方向への移動を規制することを特徴としている。
【０００６】
このように、躯体に固定した取り付け金具の複数の嵌合部が溝部内に配置されるように外装材を配置させた状態にて、この外装材を嵌合部側へ移動させることにより、極めて容易に、取り付け金具本体と嵌合部の係止片部との間に、溝部の側壁面に形成された突条部を嵌合させて挟持させ、外装材を保持させて躯体の外面側に取り付けることができる。
しかも、嵌合部に外装材の突条部を嵌合させると、取り付け金具本体に形成されたストッパ片が外装材の溝部内に入り込んで、突条部の嵌合部への嵌合方向と逆方向への外装材の移動を規制するので、嵌合部による外装材の保持状態を確実に維持させることができる。
【０００８】
また、嵌合部の係止片部が、先端方向へ向かって次第に取り付け金具本体側へ傾斜されているので、取り付け金具本体と係止片部との間へ外装材の突条部を嵌合させた際に、取り付け金具本体と係止片部とによって外装材の突条部を確実に挟持させることができ、これにより、外装材をガタつきなく確実に躯体へ取り付けることができる。
【０００９】
【発明の実施の形態】
以下、本発明の外装材の取り付け金具の実施の形態を図によって説明する。
図１及び図２において、符号１は、取り付け金具である。この取り付け金具１は、躯体２に、水平方向に沿って複数固定されており、これら取り付け金具１によって躯体２に外装材３が水平方向に沿って取り付けられている。
取り付け金具１は、バネ鋼からなる板材から形成されたもので、図３及び図４に示すように、平板状の取り付け金具本体４の外面側における上部及び下部近傍には、側方へ間隔をあけてそれぞれ複数の嵌合部５が形成されている。
【００１０】
これら嵌合部５は、取り付け金具本体４から外方へ立設された連結部６と、この連結部６から上方へ屈曲されて、取り付け金具本体４に沿って延ばされた係止片部７とを有する断面視略Ｌ字状に形成されている。そして、この嵌合部５と取り付け金具本体４とから形成された側面視凹状の部分に、外装材３の溝部１２ａを形成する一方の側壁面に形成された突条部１４が嵌合するようになっている。
【００１１】
また、この嵌合部５の係止片部７は、連結部６から先端方向へ向かって次第に取り付け金具本体４側へ傾斜され、先端部近傍にて、取り付け金具本体４から離間する方向へ屈曲されている。そして、この屈曲箇所が、押圧部７ａとされている。
この取り付け金具１には、上下の嵌合部５の間に、先端方向へ向かって次第に外方へ傾斜されたストッパ片８が形成されており、これらストッパ片８が外装材３の中央部分に形成された溝部１２ｂ内に配設されて、その下方側の側壁の端部に係合するようになっている。
【００１２】
また、この取り付け金具１には、取り付け金具本体４の上下近傍における中心位置に、それぞれ取り付け孔９が形成されており、そして、この取り付け孔９へ通した皿ビス１１を躯体２へねじ込むことにより、この取り付け金具１が躯体２に固定されている。
【００１３】
上記構造の取り付け金具１によって躯体２に取り付けられる外装材３は、図５に示すように、その内面側に、長手方向へわたって複数の溝部１２が形成されている。これら溝部１２の内の上下の溝部１２ａには、上方側の側壁部における底部側に切り込み部１３が形成されており、これにより、上方側の側壁部における開口側が前述した突条部１４とされている。また、この突条部１４の切り込み部１３側には、長手方向へわたって形成された突起部１４ａが形成されている。
また、この外装材３には、その上下端部における内面側に、長手方向へわたってクッション材１５が設けられている。そして、この外装材３を取り付け金具１によって躯体２に取り付けた際に、クッション材１５が躯体２の表面に押し付けられるようになっている。
【００１４】
このように、取り付け金具１によって外装材３が取り付けられる躯体２は、土台２１上に立設された柱２２及び間柱２３の外面側に、縦胴縁２４を介してサイディング２５を取り付けた構造とされており、取り付け金具１は、前記取り付け孔９からサイディング２５及び縦胴縁２４を介して柱２２及び間柱２３へねじ込んだ皿ビス１１によって躯体２に固定されている。
【００１５】
なお、図１中符号３１は、接着剤であり、符号３２は、シーリング材である。接着剤３１は、嵌合部５とこの嵌合部５に嵌合される外装材３の突条部１４との間に塗布されており、これにより、この外装材３と取り付け金具１とが接着されている。また、シーリング材３２は、外装材３の上端と躯体２のサイディング２５とからなる隅部、及び各外装材３同士の間に充填されている。なお、このシーリング材３２は、サイディング２５の端部同士の間にも充填されている。
また、躯体２の角部には、中間部にて略直角に屈曲されたコーナー用外装材３ａが取り付けられている。
【００１６】
次に、上記取り付け金具１によって躯体２へ外装材３を取り付ける場合について説明する。
まず、取り付け金具１を、躯体２の所定の位置に配置させ、この取り付け金具１の取り付け孔９から躯体２へ皿ビス１１をねじ込み、これら皿ビス１１によって取り付け金具１を躯体２へ取り付ける。
【００１７】
次に、外装材３を取り付け金具１に係合させることにより、この外装材３を取り付け金具１によって躯体２へ取り付ける。このとき、外装材３の突条部１４あるいは取り付け金具１の嵌合部５の内面のいずれか一方または両方に接着剤３１を塗布しておく。
【００１８】
次に、外装材３を取り付け金具１に係合させる場合について説明する。
外装材３を取り付け金具１に係合させる場合は、外装材３を、その上下の溝部１２ａに、取り付け金具１の嵌合部５を入り込ませるように、躯体２の外面側に配置させる。
【００１９】
この状態において、外装材３を下方へ移動させる。このようにすると、外装材３の溝部１２ａ内に配置されていた嵌合部５が、溝部１２ａの上方側の側壁部分に形成されている切り込み部１３内へ入り込むこととなる。そして、このように、切り込み部１３内に嵌合部５が入り込むと、嵌合部５の係止片部７の押圧部７ａが突条部１４の突起部１４ａを越えて、突条部１４の根元側へ入り込み、押圧部７ａが突条部１４の突起部１４ａに係合した状態となる。これにより、外装材３の突条部１４は、嵌合部５と取り付け金具本体４との間に嵌合されて、取り付け金具本体４と係止片部７とによって挟持された状態に保持される。
【００２０】
また、このように、外装材３を下方へ移動させると、取り付け金具１に形成されているストッパ片８が外装材３の中央に形成された溝部１２ｂ内に入り込み、これにより、このストッパ片８の先端部が溝部１２ｂの下方側の側壁の端部に係合する。そして、このように、ストッパ片８が、溝部１２ｂ内に入り込み、溝部１２ｂの下方側の側壁の端部に係合すると、このストッパ片８によって取り付け金具１に対する外装材３の上方への移動が規制され、これにより、取り付け金具１に外装材３が確実に保持される。
【００２１】
また、このように、外装材３を取り付け金具１に保持させると、外装材３の上下端部における内面側に設けられたクッション材１５が躯体２のサイディング２５に押し付けられる。
その後、外装材３の上端と躯体２のサイディング２５との角部に、シーリング材３２を塗布するとともに、各外装材３の端部同士にもシーリング材３２を塗布する。
なお、躯体２の角部においては、上記の要領により、コーナー用外装材３ａを取り付ける。
【００２２】
このように、上記の取り付け金具１によれば、躯体２に固定した取り付け金具１の複数の嵌合部５が溝部１２ａ内に配置されるように外装材３を配置させた状態にて、この外装材３を嵌合部５側へ移動させることにより、極めて容易に、取り付け金具本体４と嵌合部５の係止片部７との間に、溝部１２ａの側壁面に形成された突条部１４を嵌合させて挟持させ、外装材３を保持させて躯体２の外面側に取り付けることができる。
【００２３】
また、嵌合部５に外装材３の突条部１４を嵌合させると、取り付け金具本体４に形成されたストッパ片８が外装材３の溝部１２ｂ内に入り込んで、突条部１４の嵌合部５への嵌合方向と逆方向への外装材の移動を規制するので、嵌合部５による外装材３の保持状態を確実に維持させることができる。
さらには、嵌合部５の係止片部７が、先端方向へ向かって次第に取り付け金具本体４側へ傾斜されているので、取り付け金具本体４と係止片部７との間へ外装材３の突条部１４を嵌合させた際に、取り付け金具本体４と係止片部７とによって外装材３の突条部１４を確実に挟持させることができ、これにより、外装材３をガタつきなく確実に躯体へ取り付けることができる。
【００２４】
図６に示すものは、取り付け金具１によって外装材３を、柱２２に沿って上下に配設して取り付け、その両側部側に、さらに、取り付け金具１によって外装材３を横方向に取り付けたものである。そして、この縦方向に取り付けた外装材３と横方向に取り付けた外装材３との間にシーリング材３２が充填されている。
このように、上記取り付け金具１によれば、横方向だけでなく、縦方向にも容易に外装材３を取り付けることができる。
【００２５】
【発明の効果】
以上、説明したように、本発明の外装材の取り付け金具によれば、下記の効果を得ることができる。
請求項１記載の外装材の取り付け金具によれば、躯体に固定した取り付け金具の複数の嵌合部が溝部内に配置されるように外装材を配置させた状態にて、この外装材を嵌合部側へ移動させることにより、極めて容易に、取り付け金具本体と嵌合部の係止片部との間に、溝部の側壁面に形成された突条部を嵌合させて挟持させ、外装材を保持させて躯体の外面側に取り付けることができる。
しかも、嵌合部に外装材の突条部を嵌合させると、取り付け金具本体に形成されたストッパ片が外装材の溝部内に入り込んで、突条部の嵌合部への嵌合方向と逆方向への外装材の移動を規制するので、嵌合部による外装材の保持状態を確実に維持させることができる。
【００２６】
また、嵌合部の係止片部が、先端方向へ向かって次第に取り付け金具本体側へ傾斜されているので、取り付け金具本体と係止片部との間へ外装材の突条部を嵌合させた際に、取り付け金具本体と係止片部とによって外装材の突条部を確実に挟持させることができ、これにより、外装材をガタつきなく確実に躯体へ取り付けることができる。
【図面の簡単な説明】
【図１】本発明の実施の形態の外装材の取り付け金具を説明する取り付け金具によって外装材を躯体に取り付けた状態の外壁の横断面図である。
【図２】本発明の実施の形態の外装材の取り付け金具を説明する取り付け金具によって外装材を躯体に取り付けた状態の外壁の縦断面図である。
【図３】本発明の実施の形態の外装材の取り付け金具を説明する取り付け金具の平面図である。
【図４】本発明の実施の形態の外装材の取り付け金具を説明する取り付け金具の側面図である。
【図５】本発明の実施の形態の外装材の取り付け金具を説明する取り付け金具によって躯体に取り付けられる外装材の斜視図である。
【図６】本発明の実施の形態の外装材の取り付け金具による外壁材の他の取り付け状態を説明する外装材を躯体に取り付けた状態の外壁の横断面図である。
【符号の説明】
１  取り付け金具
２  躯体
３  外装材
４  取り付け金具本体
５  嵌合部
６  連結部
７  係止片部
８  ストッパ片
１２、１２ａ、１２ｂ  溝部
１４  突条部
【図１】
0003614691.tif 000002
【図２】
0003614691.tif 000003
【図３】
0003614691.tif 000004
【図４】
0003614691.tif 000005
【図５】
0003614691.tif 000006
【図６】
0003614691.tif 000007